(57)【要約】【課題】二つの筐体間を接続する配線の引き出しに必要な距離を最小限にして、筐体の長さを短くできるようにする。【解決手段】第１筐体１と第２筐体２とを結合し、両筐体１・２間を中空部材４２でつなげるとともに、両筐体１・２内の基板にそれぞれ接続する配線５を中空部材４２内に通す配線構造であって、中空部材４２のすくなくとも一方の筐体２内に位置する端部に切欠部４２ａを形成し、中空部材４２内から配線５を切欠部４２ａで曲げて前記一方の筐体２内に引き出す。具体的には、第１筐体１と第２筐体２とを重ねて折り畳んだ状態から相対的に回転させて開閉可能に連結する第１軸（４１）を備え、その第１軸（４１）を横切って中空部材４２を設ける。【選択図】図２
2010220003.tif 000002
【特許請求の範囲】
【請求項１】
第１筐体と第２筐体とを結合し、両筐体間を中空部材でつなげるとともに、両筐体内の基板にそれぞれ接続する配線を前記中空部材内に通す配線構造であって、
前記中空部材のすくなくとも一方の筐体内に位置する端部に切欠部を形成し、
前記中空部材内から前記配線を前記切欠部で曲げて前記一方の筐体内に引き出すことを特徴とする筐体間の配線構造。
【請求項２】
前記第１筐体と第２筐体とを重ねて折り畳んだ状態から相対的に回転させて開閉可能に連結する第１軸を備え、
前記第１軸を横切って前記中空部材を設けることを特徴とする請求項１に記載の筐体間の配線構造。
【請求項３】
前記第１筐体と第２筐体とを前記折り畳んだ状態から前記第１軸と交差する軸線を中心に回転可能に連結する第２軸を備え、
前記第２軸が前記中空部材により形成されることを特徴とする請求項２に記載の筐体間の配線構造。
【請求項４】
前記第２軸は、前記両筐体の中央部に配置されることを特徴とする請求項３に記載の筐体間の配線構造。
【請求項５】
前記第２軸は、前記両筐体の一側部に配置されることを特徴とする請求項３に記載の筐体間の配線構造。
【請求項６】
前記配線は同軸ケーブルであることを特徴とする請求項１から５のいずれか一項に記載の筐体間の配線構造。
【請求項７】
請求項１から６のいずれか一項に記載の筐体間の配線構造を備えることを特徴とする携帯機器。
【発明の詳細な説明】
【技術分野】
【０００１】
本発明は、二つの筐体間の配線構造と、その筐体間の配線構造を備える携帯機器に関する。
【背景技術】
【０００２】
二つの筐体を重ねた折り畳み状態から縦方向に開放した状態で、さらに、横方向に回転する２軸ヒンジを備える携帯端末が特許文献１に開示される。
【先行技術文献】
【特許文献】
【０００３】
【特許文献１】特開２００５−３０３６８８号公報
【発明の概要】
【発明が解決しようとする課題】
【０００４】
特許文献１によれば、二つの筐体間の電気的接続をフレキシブル基板で行っているが、同軸ケーブルで接続するものもある。その場合、２軸ヒンジの回転軸内を中空にして同軸ケーブルを通しているが、ケーブル径の影響で、筐体内の液晶表示パネルなどの電子部品の配置に制限が出てしまい、筐体の長さが長くなってしまう問題がある。
【０００５】
本発明の課題は、二つの筐体間を接続する配線の引き出しに必要な距離を最小限にして、筐体の長さを短くできるようにすることである。
【課題を解決するための手段】
【０００６】
以上の課題を解決するため、請求項１に記載の発明は、第１筐体と第２筐体とを結合し、両筐体間を中空部材でつなげるとともに、両筐体内の基板にそれぞれ接続する配線を前記中空部材内に通す配線構造であって、前記中空部材のすくなくとも一方の筐体内に位置する端部に切欠部を形成し、前記中空部材内から前記配線を前記切欠部で曲げて前記一方の筐体内に引き出すことを特徴とする。
【０００７】
請求項２に記載の発明は、請求項１に記載の筐体間の配線構造であって、前記第１筐体と第２筐体とを重ねて折り畳んだ状態から相対的に回転させて開閉可能に連結する第１軸を備え、前記第１軸を横切って前記中空部材を設けることを特徴とする。
【０００８】
請求項３に記載の発明は、請求項２に記載の筐体間の配線構造であって、前記第１筐体と第２筐体とを前記折り畳んだ状態から前記第１軸と交差する軸線を中心に回転可能に連結する第２軸を備え、前記第２軸が前記中空部材により形成されることを特徴とする。
【０００９】
請求項４に記載の発明は、請求項３に記載の筐体間の配線構造であって、前記第２軸は、前記両筐体の中央部に配置されることを特徴とする。
【００１０】
請求項５に記載の発明は、請求項３に記載の筐体間の配線構造であって、前記第２軸は、前記両筐体の一側部に配置されることを特徴とする。
【００１１】
請求項６に記載の発明は、請求項１から５のいずれか一項に記載の筐体間の配線構造であって、前記配線は同軸ケーブルであることを特徴とする。
【００１２】
請求項７に記載の発明は、請求項１から６のいずれか一項に記載の筐体間の配線構造を備える携帯機器を特徴とする。
【発明の効果】
【００１３】
本発明によれば、二つの筐体間を接続する配線の引き出しに必要な距離を最小限にして、筐体の長さを短くすることができる。
【図面の簡単な説明】
【００１４】
【図１】本発明を適用した携帯機器の実施形態１の構成を示すもので、携帯電話の折り畳み状態を示した斜視図である。
【図２】図１の折り畳み状態の携帯電話の縦断側面図である。
【図３】図２のヒンジ部の拡大図である。
【図４】２軸ヒンジの構成を示した斜視図である。
【図５】図４の分解図である。
【図６】２軸ヒンジの構成の変形例を示した斜視図である。
【図７】実施形態２を示すもので、携帯電話の折り畳み状態を示した斜視図である。
【図８】図７の２軸ヒンジの構成を示した斜視図である。
【図９】従来の構造例を示した断面図である。
【発明を実施するための形態】
【００１５】
以下、図を参照して本発明を実施するための形態を詳細に説明する。
（実施形態１）
図１及び図２は本発明を適用した携帯機器の実施形態１の構成として携帯電話の折り畳み状態を示したもので、図３は図２のヒンジ部を拡大したものであり、図４は２軸ヒンジの構成を示したもので、図５はその分解したものである。図中、１は第１筐体、２は第２筐体、３はヒンジケース、４は２軸ヒンジ、５は配線である。
【００１６】
図示のように、第１筐体１と第２筐体２はヒンジケース３で覆われた２軸ヒンジ４を介して結合されている。第１筐体１には図示しないキー入力部が設けられ、第２筐体２には図示しない表示部が設けられている。例えば図２及び図３に示すように、第２筐体２の内部には、前記表示部に対応する液晶表示パネル２１が組み込まれ、この液晶表示パネル２１は中ケース（シールドケース）を構成するマグネシウム製等の金属ケース２２により覆われている。
【００１７】
２軸ヒンジ４は、図４に示すように、第１軸である一対のヒンジ軸４１と第２軸である回転軸４２とで構成されている。一対のヒンジ軸４１は、第１筐体１にネジ止め固定される左右のブラケット４３にそれぞれ回転自在に組み付けられている。ヒンジケース３内において、一対のヒンジ軸４１を左右端で一体に連結するブラケット４４の中央に回転軸４２が回転自在に組み付けられている。この回転軸４２には、第２筐体２内の金属ケース２２にネジ止め固定されるブラケット４５が一体に組み付けられている。
【００１８】
こうして第１筐体１と第２筐体２は、ヒンジ軸４１を中心として縦方向に折り畳み可能（開閉可能）に組み付けられていて、第２筐体２は第１筐体１及びヒンジケース３に対し中央の回転軸４２を中心として回転可能に組み付けられている。なお、図示例において、ヒンジ軸４１と回転軸４２は互いの軸線が直交しているが、軸線は直交に限らず交差していればよく、いわゆる立体交差も含まれる。
【００１９】
そして、少なくとも一方のヒンジ軸４１と回転軸４２は中空部材により形成されていて、その中空部内には、第１筐体１及び第２筐体２内の図示しない基板にそれぞれ接続する配線である同軸細線ケーブル５が通されている。
【００２０】
また、回転軸４２の外周には、ブラケット４４・４５の間に二枚のリング４６とその間のバネ４７を覆うカバー４８が設けられていて、ブラケット４４に隣接して回転規制カム４９が一体に組み付けられている。この回転規制カム４９に対し回転軸４２の端部がカシメ付けられている。なお、回転規制カム４９によって、第１筐体１に対し第２筐体２が中央の回転軸４２と一体に１８０度の範囲で回転が規制される。
【００２１】
以上の中空部材による回転軸４２において、金属ケース２２側の端部で液晶表示パネル２１と反対側に切欠部４２ａを形成するとともに、ブラケット４５の中央の図示上部に、回転軸４２の切欠部４２ａを囲む切欠部４５ａを形成する。そして、回転軸４２内に通した同軸細線ケーブル５を、回転軸４２端部の切欠部４２ａからブラケット４５の切欠部４５ａへと外側（図示上側）に曲げて金属ケース２２の背面に沿わせ基板（不図示）に接続する。
【００２２】
これにより、第１筐体１及び第２筐体２間を接続する同軸細線ケーブル５の近傍の液晶表示パネル２１の配置に制限が出ないように、同軸配線ケーブル５の引き出しに必要な距離を最小限にして、第２筐体２の長さを短くすることができる。
【００２３】
すなわち、図９は従来の構造例を示したもので、従来は、例えば同軸細線ケーブル５を回転軸４２から引き出してから外側（図示上側）に曲げて金属ケース２２の背面に沿わせ基板（不図示）に接続する配線構造のため、図示のように、回転軸４２と金属ケース２２との間に、同軸細線ケーブル５を回転軸４２から引き出してから外側に曲げるに必要な距離Ｌ0だけ確保する必要があった。
【００２４】
これに対し、同軸細線ケーブル５を回転軸４２端部の切欠部４２ａからブラケット４５の切欠部４５ａへと外側に曲げて金属ケース２２の背面に沿わせ基板に接続する構造のため、図３に示したように、回転軸４２と金属ケース２２との間の距離Ｌ1を極めて小さくすることができる。従って、第２筐体２の長さを短くすることができる。
【００２５】
（変形例）
図６は変形例を示すもので、前記切欠部４２ａを形成したことによる回転軸４２端部の周囲を、図示のように、ブラケット４５に溶接ｗをして補強している。
【００２６】
（実施形態２）
図７及び図８は実施形態２を示すもので、前述した実施形態１と同様、１は第１筐体、２は第２筐体、２２は金属ケース、３はヒンジケース、４は２軸ヒンジ、４１はヒンジ軸（第１軸）、４２は回転軸（第２軸）、４２ａは切欠部、４３はブラケット、４４はブラケット、４５はブラケット、４５ａは切欠部、５は同軸細線ケーブル（配線）である。
【００２７】
実施形態２において、２軸ヒンジ４は、図示のように、第１筐体１及び第２筐体２の右側部において、第１軸であるヒンジ軸４１と第２軸である回転軸４２とで構成されている。ヒンジ軸４１は、第１筐体１にネジ止め固定されるブラケット４３に回転自在に組み付けられている。ヒンジケース３内において、ヒンジ軸４１の右端を軸受するブラケット４４に回転軸４２の中央が回転自在に組み付けられている。この回転軸４２には、第２筐体２内の金属ケース２２にネジ止め固定されるブラケット４５が一体に組み付けられている。
【００２８】
こうして第１筐体１と第２筐体２は、ヒンジ軸４１を中心として縦方向に折り畳み可能（開閉可能）に組み付けられていて、第２筐体２は第１筐体１及びヒンジケース３に対し右側部の回転軸４２を中心として回転可能に組み付けられている。
【００２９】
そして、ヒンジ軸４１と回転軸４２は中空部材により形成されていて、その中空部内には、第１筐体１及び第２筐体２内の図示しない基板にそれぞれ接続する同軸細線ケーブル５が通されている。
【００３０】
以上の中空部材による回転軸４２において、金属ケース２２側の端部で前記液晶表示パネル２１と反対側に切欠部４２ａを形成するとともに、ブラケット４５の右端にも、回転軸４２の切欠部４２ａを囲む切欠部４５ａを形成する。そして、回転軸４２内に通した同軸細線ケーブル５を、回転軸４２端部の切欠部４２ａからブラケット４５の切欠部４５ａへと外側に曲げて金属ケース２２の背面に沿わせ基板（不図示）に接続する。
【００３１】
これにより、前述した実施形態１と同様、第１筐体１及び第２筐体２間を接続する同軸細線ケーブル５の近傍の液晶表示パネル２１の配置に制限が出ないようにして、第２筐体２の長さを短くすることができる。
【００３２】
（他の変形例）
なお、以上の実施形態においては、携帯電話としたが、本発明はこれに限定されるものではなく、カメラ、ＰＤＡ、ノートパソコン、ウェアラブルパソコン、電卓、電子辞書など、ヒンジ近傍に基板を配置するタイプの携帯機器の全てに適用できる。
また、折り畳みだけのヒンジを備えたものでも、同軸細線を管(ヒンジではないただの配管)で通したものでもよい。
さらに、第１筐体と第２筐体とを結合し、中空配管に配線を通すようにしたストレートタイプのものでもよい。
また、光ケーブルでもよい。
さらに、他の同軸ケーブルでもよい。
【００３３】
また、２軸ヒンジの軸は、実施形態の回転軸に限らず、筐体を回転可能に支持する固定軸であってもよい。
さらに、切欠部の形状等も任意であり、その他、具体的な細部構造等についても適宜に変更可能であることは勿論である。
【符号の説明】
【００３４】
１  第１筐体
２  第２筐体
２２  金属ケース
３  ヒンジケース
４  ２軸ヒンジ
４１  第１軸（中空部材）
４２  第２軸（中空部材）
４２ａ  切欠部
４５  ブラケット
４５ａ  切欠部
５  同軸ケーブル（配線）
【図１】
2010220003.tif 000003
【図２】
2010220003.tif 000004
【図３】
2010220003.tif 000005
【図４】
2010220003.tif 000006
【図５】
2010220003.tif 000007
【図６】
2010220003.tif 000008
【図７】
2010220003.tif 000009
【図８】
2010220003.tif 000010
【図９】
2010220003.tif 000011